【事件の表示】
　特願２０１２−１４３４８８「旅程表示システム」拒絶査定不服審判事件〔平成２６年　１月１６日出願公開、特開２０１４−　　６８１９〕について、次のとおり審決する。
【結　論】
　本件審判の請求は、成り立たない。
【理　由】
第１．手続の経緯
　本願は、平成２４年６月２６日を出願日とする出願であって、平成２６年１月１０日付けで拒絶理由通知がなされ、平成２６年３月１４日付けで意見書の提出とともに手続補正がなされたが、平成２６年８月１２日付けで拒絶査定がなされ、これに対して平成２６年１１月２０日付けで拒絶査定不服審判請求がなされるとともに同日付けで手続補正がなされたものである。 
第２．平成２６年１１月２０日付けの手続補正の目的
　平成２６年１１月２０日付けの手続補正は、特許請求の範囲の請求項１において、「ウェブベージ」を「ウェブページ」に、「表示させるように」を「表示するように」に補正するものであり、請求項２において、「請求項１又は２記載の旅程表示システム」を「請求項１に記載の旅程表示システム」に補正するものであり、特許法第１７条の２第５項第３号に規定される誤記の訂正、または、第４号に規定される明瞭でない記載の釈明を目的とするものである。
第３．平成２６年１月１０日付の拒絶理由通知の概要
　平成２６年１月１０日付の拒絶理由通知の概要は以下のとおりである。
『理由Ａ．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項：１−５
・引用文献等：１−３
・備考
　・・・（途中省略）・・・
　　　　　　　　　　　引　用　文　献　等　一　覧
１．国際公開第２００６／０５１９８２号
２．特開２００２−０７３７５６号公報
３．特開２００２−２０３０１４号公報』
第４．本願発明について
　平成２６年１１月２０日付けの手続補正書による特許請求の範囲の請求項１（以下、「本願発明」という。）は以下のとおりのものである。
「【請求項１】
　ユーザ端末からインターネットを介してアクセス可能な旅程作成用のウェブページを管理する旅程表示サーバと、旅程を作成する際に使用する各種の情報を格納するデータベースとを備えた旅程表示システムであって、
　前記データベースは、観光スポットと、飲食店、観光施設、宿泊施設及び交通手段のうちの２以上と（以下、該観光スポットと併せて「旅程構成要素」という。）、該観光スポットを表示する地図と、前記旅程構成要素のそれぞれの写真又は名称に関する情報を格納しており、
　前記旅程表示サーバは、
　旅行の日時、観光スポット、予約情報などの各種の旅行計画情報を前記ユーザ端末から受け取る旅行計画情報受取手段と、
　前記旅行計画情報受取手段が受け取った前記旅行計画情報を前記データベースに格納された旅程構成要素に関する情報と照合して前記旅行計画情報に適合する適合旅程構成要素を取得する第１の情報処理手段と、
　前記旅行計画情報受取手段が受け取った観光スポットを表示する地図に関する情報によって表わされた地図上の所定の場所に前記第１の情報処理手段によって取得された前記適合旅程構成要素を旅行日程の少なくとも１日について１のウェブページに配置して表示するように処理する第２の情報処理手段と、
　前記地図上に表わされた前記写真又は名称をクリックすると前記写真又は名称のホームページへリンクするように処理する第３の情報処理手段とを有し、
　前記第２の情報処理手段が、更に（ａ）前記旅行計画情報受取手段から前記予約情報を受け取り、該予約情報を旅行日程の少なくとも１日について１のウェブページの所定の場所に表示する、又は所定箇所をクリックすると閲覧可能になるように処理すること、及び（ｂ）前記データベースから前記写真又は名称に関する情報を入手し、前記地図上であって、前記適合旅程構成要素に対応する所定の場所に表示するように処理することを特徴とする旅程表示システム。」
第５．当審の判断
（１）引用例
（１−１）平成２６年１月１０日付の拒絶理由通知において引用された国際公開第２００６／０５１９８２号（以下、「引用例１」という。）には、図面とともに、次の事項が記載されている。（なお、下線は当審において付加したものである。）
（ａ）「[0013]（旅行ルート表示システムの概略構成）
　まず、この発明の実施の形態にかかる旅行ルート表示システムの概略構成を説明する。図１は、この発明の実施の形態にかかる旅行ルート表示システムの概略構成を示す図である。
この旅行ルート表示システムは、ネットワーク１００に接続されたサーバ１０１とユーザ端末１０２，１０３，１０４，１０５，・・・とにより構成される。
[0014]（旅行ルート表示システムの機能的構成）
　次に、この発明の実施の形態にかかる旅行ルート表示システムの機能的構成を説明する。まず、この旅行ルート表示システムを構成するサーバの機能的構成について説明する。図２は、このサーバの機能的構成を示すブロック図である。
サーバ１０１は、検索条件取得部２０１、データベース２０２、情報検索部２０３、
画像データ生成部２０５、データ送信部２０６を含み構成される。
[0015]  
検索条件取得部２０１は、たとえばユーザ端末１０２から送信された、ユーザが所望する旅行ルートの表示を行うための検索条件（たとえば、出発地や目的地などの地名、駅名や、出発日時、用いる交通手段、利用を希望する施設名を含む検索語）をネットワーク１００を介して取得する。
[0016]  
データベース２０２は、鉄道や、バス、船舶、航空機などの交通手段やこれらの時刻表、料金、営業距離の各種情報などが格納された交通手段情報データベース２０２ａ、観光施設や、テーマパーク、レストラン、宿泊施設などの各種情報が格納された施設情報データベース２０２ｂ、地図情報が格納された地図データベース２０２ｃを備えている。
[0017]  
情報検索部２０３は、検索条件取得部２０１が取得した検索条件に基づき、データベース２０２の検索を行う。
[0018]  数値データ算出部２０４は、情報検索部２０３によるデータベース２０２の検索の結果得られた情報に基づき旅行ルートとともに表示する各種数値データの算出を行う。たとえば、データベース２０２から取得した情報をもとに、利用する交通手段や各種施設の利用料金の合計や、利用する交通手段および旅行全体の所要時間や、乗り換え時間、移動距離などを算出する。
[0019]  
画像データ生成部２０５は、交通手段情報画像データ生成部２０５ａ、施設情報画像データ生成部２０５ｂ、および地図画像データ生成部２０５ｃを備えている。交通手段情報画像データ生成部２０５ａは、交通手段情報データベース２０２ａから検索された交通手段を表現する交通手段アイコンを表示するため画像データを生成する。
[0020]  
施設情報画像データ生成部２０５ｂは、施設情報データベース２０２ｂから検索された各施設を表す施設アイコンを表示するための画像データを生成する。
地図画像データ生成部２０５ｃは、地図データベース２０２ｃから検索された地図を表示するための画像データを生成する。
[0021]  
データ送信部２０６は、画像データ生成部２０５が生成した画像データをネットワーク１００を介してたとえばユーザ端末１０２へ送信する。
[0022]　次に、この発明の実施の形態にかかる旅行ルート表示システムを構成するユーザ端末の機能的構成について説明する。図３は、このユーザ端末の機能的構成を示すブロック図である。図１に示したユーザ端末１０２，１０３，１０４，１０５，・・・は、すべて同様の機能を有するため、以下ではユーザ端末１０２のみについて述べることにする。
ユーザ端末１０２は、操作・入力部３０１、検索条件送信部３０２、データ受信部３０３、表示画像制御部３０４、および表示部３０５を含み構成される。
[0023]　操作・入力部３０１は、旅行ルートを表示するために必要な検索条件（たとえば、出発地や目的地などの地名、駅名や、出発日時、用いる交通手段、利用を希望する施設名を含む検索語）の入力処理や、各種機能の切り替え操作などを行う。検索条件送信部３０２は、操作・入力部３０１から入力された検索条件をネットワーク１００を介してサーバ１０１へ送信する。
データ受信部３０３は、サーバ１０１からネットワーク１００を介して送信された画像データを受信する。
[0024]　
表示画像制御部３０４は、
データ受信部３０３が受信した複数種類の画像データの表示処理の制御を行う。
複数の画像データを合成して同一画面上に表示できるように制御する。
（ｂ）「[0042]  
図８は、ステップＳ７０１の処理が実行される際に、ユーザ端末１０２のディスプレイ６０５に表示される検索条件入力画面の一例を示す図である。この検索条件入力画面８００には、出発日時を入力する日時エリア８０１、出発地や目的地、中継地などの地名（駅名）を入力する地名入力エリア８０２、用いる交通手段を選択する交通手段選択エリア８０３、利用を希望する施設名を入力する施設名入力エリア８０４が設けられている。
（ｃ）「[0050]  そして、詳細情報を閲覧したい場合には、たとえば図９の
簡易表示画面９００に示された施設アイコン９０３のうち詳細情報を知りたいものを選択することで、
各アイコンが画面の左右方向および下方向へ移動して、
詳細情報表示画面１１００が表示される。この詳細情報表示画面１１００には、
利用する各施設名
のほか、詳細情報を希望した施設に関する詳細情報１１０１が表示される。
[0051]  また、図１２、図１３は、この実施例にかかる旅行ルート表示システムで表示される簡易表示画面の他の一例を示す図である。図１２に示す簡易表示画面１２００では、旅行ルートの表示方向が図９に示したものとは異なるように設定したものである。また、
図１３に示す簡易表示画面１３００では、正確な地図上の位置に利用する施設アイコンと交通手段アイコンをそれぞれ配置したものである。
（ｄ）［図１１］には、詳細情報表示画面１１００に、各施設を表すアイコンと詳細情報１１０１が表示され、各施設を表すアイコンの下方向に、「空港第２ビル駅」、「成田国際空港第２ターミナル」、「ミュンヘン国際空港」と表示されることが図示されている。
（１−２）以上の記載によれば、引用例１には次のことが記載されている。
（ア）上記（ａ）の段落[0013]−[0014]には、旅行ルート表示システムが、ネットワーク１００に接続されたサーバ１０１とユーザ端末１０２，１０３，１０４，１０５とにより構成され、サーバ１０１は、検索条件取得部２０１、データベース２０２、情報検索部２０３、画像データ生成部２０５、データ送信部２０６を含み構成されることが記載されている。
　よって、ここには、ユーザ端末１０２とネットワーク１００を介して接続されたサーバ１０１を備えた旅行ルート表示システムであって、サーバ１０１は、検索条件取得部２０１、データベース２０２、情報検索部２０３、画像データ生成部２０５、データ送信部２０６を含み構成されることが記載されているといえる。
（イ）上記（ａ）の段落[0015]には、検索条件取得部２０１は、ユーザ端末１０２から送信された、ユーザが所望する旅行ルートの表示を行うための検索条件（たとえば、出発地や目的地などの地名、駅名や、出発日時、用いる交通手段、利用を希望する施設名を含む検索語）をネットワーク１００を介して取得することが記載されている。
　また、上記（ａ）の段落[0016]には、観光施設や、テーマパーク、レストラン、宿泊施設などが施設情報データベース２０２ｂに格納されることが記載されているから、利用を希望する施設として、観光施設や、テーマパーク、レストラン、宿泊施設が想定されるといえる。
　また、上記（ｂ）の段落[0042]には、ユーザ端末１０２のディスプレイ６０５に表示される検索条件入力画面に、検索条件を入力する各エリアが設けられていることが記載されているから、ユーザ端末１０２のディスプレイ６０５に表示される検索条件入力画面において、検索条件が入力されるものといえる。
　よって、ここには、ユーザ端末１０２に表示された検索条件入力画面において検索条件が入力され、検索条件取得部２０１は、ユーザ端末１０２から送信されたユーザが所望する旅行ルートの表示を行うための検索条件（たとえば、出発地や目的地などの地名、駅名や、出発日時、用いる交通手段、観光施設やテーマパークやレストランや宿泊施設などの利用を希望する施設名を含む検索語）をネットワーク１００を介して取得することが記載されているといえる。
（ウ）上記（ａ）の段落[0016]には、データベース２０２は、鉄道や、バス、船舶、航空機などの交通手段やこれらの時刻表、料金、営業距離の各種情報などが格納された交通手段情報データベース２０２ａ、観光施設や、テーマパーク、レストラン、宿泊施設などの各種情報が格納された施設情報データベース２０２ｂ、地図情報が格納された地図データベース２０２ｃを備えていることが記載されている。
（エ）上記（ａ）の段落[0017]には、情報検索部２０３は、検索条件取得部２０１が取得した検索条件に基づき、データベース２０２の検索を行うことが記載されている。
（オ）上記（ａ）の段落[0019]−[0020]には、画像データ生成部２０５は、交通手段情報画像データ生成部２０５ａ、施設情報画像データ生成部２０５ｂを備えており、交通手段情報画像データ生成部２０５ａは、交通手段情報データベース２０２ａから検索された交通手段を表現する交通手段アイコンを表示するため画像データを生成し、施設情報画像データ生成部２０５ｂは、施設情報データベース２０２ｂから検索された各施設を表す施設アイコンを表示するための画像データを生成し、地図画像データ生成部２０５ｃは、地図データベース２０２ｃから検索された地図を表示するための画像データを生成することが記載されている。
　また、上記（ウ）で示したように、引用発明のデータベース２０２は、交通手段情報データベース２０２ａ、施設情報データベース２０２ｂ及び地図データベース２０２ｃを備えたものである。
　よって、ここには、画像データ生成部２０５は、データベース２０２から検索された交通手段を表現する交通手段アイコンを表示するため画像データを生成し、データベース２０２から検索された各施設を表す施設アイコンを表示するための画像データを生成し、データベース２０２から検索された地図を表示するための画像データを生成することが記載されているといえる。
（カ）上記（ａ）の段落[0021]には、データ送信部２０６は、画像データ生成部２０５が生成した画像データをネットワーク１００を介してユーザ端末１０２へ送信することが記載されている。
　また、上記（ａ）の段落[0022]−[0024]には、ユーザ端末１０２は、操作・入力部３０１、検索条件送信部３０２、データ受信部３０３、表示画像制御部３０４、および表示部３０５を含み構成され、データ受信部３０３は、サーバ１０１からネットワーク１００を介して送信された画像データを受信し、表示画像制御部３０４は、データ受信部３０３が受信した複数種類の画像データの表示処理の制御を行い、複数の画像データを合成して同一画面上に表示できるように制御することが記載されており、サーバ１０１から受信した複数種類の画像データは、ユーザ端末１０２において合成することにより同一画面上に表示可能であることが記載されているといえる。
　また、上記（ｃ）の段落[0051]には、簡易表示画面１３００において、正確な地図上の位置に利用する施設アイコンと交通アイコンをそれぞれ配置して表示することが記載されている。
　よって、ここには、データ送信部２０６は、画像データ生成部２０５が生成した複数種類の画像データを、ネットワーク１００を介してユーザ端末へ送信し、複数種類の画像データは、ユーザ端末において合成することにより同一画面上に表示可能であり、簡易表示画面１３００において、正確な地図上の位置に利用する施設アイコンと交通アイコンをそれぞれ配置して表示可能なものであることが記載されているといえる。
（キ）上記（ｃ）の段落[0050]には、簡易表示画面９００に示された施設アイコン９０３のうち詳細情報を知りたいものを選択することで、各アイコンが画面の左右方向および下方向へ移動して詳細情報表示画面１１００が表示され、この詳細情報表示画面１１００には、利用する各施設名のほか詳細情報を希望した施設に関する詳細情報１１０１が表示されることが記載されている。
　また、上記（ｄ）には、詳細情報表示画面１１００において、各施設アイコンの下方向に各施設名が表示されることが記載されている。
　よって、ここには、簡易表示画面に示された施設アイコンのうち詳細情報を知りたいものを選択することで、各アイコンが画面の左右方向および下方向へ移動して詳細情報表示画面１１００が表示され、この詳細情報表示画面１１００には、利用する各施設名が各施設アイコンの下方向に表示されるほか、詳細情報を希望した施設に関する詳細情報１１０１が表示されることが記載されているといえる。
（ク）以上のことから、引用例１には、次の発明（以下、「引用発明 」という。）が記載されている。
「ユーザ端末１０２とネットワーク１００を介して接続された旅行ルートを表示するためのサーバ１０１を備えた旅行ルート表示システムであって、サーバ１０１は、検索条件取得部２０１、データベース２０２、情報検索部２０３、画像データ生成部２０５、データ送信部２０６を含み構成され、
　ユーザ端末１０２に表示された検索条件入力画面において検索条件が入力され、検索条件取得部２０１は、ユーザ端末１０２から送信されたユーザが所望する旅行ルートの表示を行うための検索条件（たとえば、出発地や目的地などの地名、駅名や、出発日時、用いる交通手段、観光施設やテーマパークやレストランや宿泊施設などの利用を希望する施設名を含む検索語）をネットワーク１００を介して取得し、
　データベース２０２は、鉄道や、バス、船舶、航空機などの交通手段やこれらの時刻表、料金、営業距離の各種情報などが格納された交通手段情報データベース２０２ａ、観光施設や、テーマパーク、レストラン、宿泊施設などの各種情報が格納された施設情報データベース２０２ｂ、地図情報が格納された地図データベース２０２ｃを備えており、
　情報検索部２０３は、検索条件取得部２０１が取得した検索条件に基づき、データベース２０２の検索を行い、
　画像データ生成部２０５は、データベース２０２から検索された交通手段を表現する交通手段アイコンを表示するため画像データを生成し、データベース２０２から検索された各施設を表す施設アイコンを表示するための画像データを生成し、データベース２０２から検索された地図を表示するための画像データを生成し、
　データ送信部２０６は、画像データ生成部２０５が生成した複数種類の画像データを、ネットワーク１００を介してユーザ端末へ送信し、複数種類の画像データは、ユーザ端末において合成することにより同一画面上に表示可能であり、簡易表示画面１３００において、正確な地図上の位置に利用する施設アイコンと交通アイコンをそれぞれ配置して表示可能なものであり、
　簡易表示画面に示された施設アイコンのうち詳細情報を知りたいものを選択することで、各アイコンが画面の左右方向および下方向へ移動して詳細情報表示画面１１００が表示され、この詳細情報表示画面１１００には、利用する各施設名が各施設アイコンの下方向に表示されるほか、詳細情報を希望した施設に関する詳細情報１１０１が表示されること。」
（１−３）平成２６年１月１０日付の拒絶理由通知において引用された特開２００２−０７３７５６号公報（以下、「周知例１」という。）には、図面とともに、次の事項が記載されている。（なお、下線は当審において付加したものである。）
（ｅ）「【００３７】図１０は、旅行時に、旅行管理サーバ１と携帯情報端末３との間で行なわれる旅行中案内処理を示したフローチャートである。
旅行者が携帯情報端末３を持参して旅行している最中において、携帯情報端末３は、衛星移動体通信システムから現在位置を取得すると共に
、時計部から現在日時を取得する
スケジュール通りであれば、その現在位置対応の
案内情報を取得して表示出力させる（ステップＧ５）。
【００３８】
図１１（Ａ）は、現地の観光案内が表示された場合の表示例で、この画面内のリンク先を指定すると、施設／名所／イベント情報データベース８から「情報提供アドレス」が読み出され、その管理コンピュータ側のホームページへジャンプし、詳細な内容を確認できるようになっている。
図１１（Ｂ）は、次の場所に移動すべき準備を促す案内表示例であり、このこの場合にも、この画面内のリンク先を指定すると、交通機関情報データベース９から「情報提供アドレス」が読み出され、その管理コンピュータ側のホームページへジャンプし、詳細な内容を確認できるようになっている。
（１−４）前記（ｅ）の記載によれば、周知例１には次のことが記載されている。
＜周知例１の記載事項＞
「旅行者が携帯情報端末３を持参して旅行している最中において、携帯情報端末３は、衛星移動体通信システムから現在位置を取得すると共に、時計部から現在日時を取得し、スケジュール通りであれば、その現在位置対応の案内情報を取得して表示出力させ、
　現地の観光案内が表示された場合、この画面内のリンク先を指定すると、施設／名所／イベント情報データベース８から「情報提供アドレス」が読み出され、その管理コンピュータ側のホームページへジャンプし、詳細な内容を確認できるようになっており、
　次の場所に移動すべき準備を促す案内が表示された場合にも、この画面内のリンク先を指定すると、交通機関情報データベース９から「情報提供アドレス」が読み出され、その管理コンピュータ側のホームページへジャンプし、詳細な内容を確認できるようになっていること。」
（１−５）当審で新たに引用する特開２００２−０７１３６１号公報（以下、「周知例２」という。）には、図面とともに、次の事項が記載されている。（なお、下線は当審において付加したものである。）
（ｆ）「【００６３】図１２に示すように、
ユーザー
は、
コンピュータ端末Ｔｕ
を利用することによって、
インターネット（ＮＥＴ）１３
を介して、情報源であるサーバ１２にアクセスする。
【００６４】
サーバ１２には、所定の情報
が予め格納され、
ユーザー
が、それぞれ所定の手順でサーバ１２にアクセスしてきた場合には、それぞれに適合する情報を、制御手段１１を介してそれぞれの情報端末Ｔｕ
に出力する。
（ｇ）「【００７４】Ｓ23：この場合、
ユーザーは、旅行計画を所望しているので、上記初期メニュー欄１４（図１５）の選択欄１４ａにマウスカーソルＭＣを位置させてクリックする。
【００７５】Ｓ24：
サーバ１２は、
情報入力欄１（図３参照）を、ユーザーの情報端末Ｔｕに送信する。
【００７６】Ｓ25：
ユーザーは、出発地入力欄１の出発地入力欄１ｂに、出発地を入力する。
そして、「ＯＫ」と表示されたクリックボタン１ｃをクリックすることによって、出発地に関する情報をサーバ１２に送信する。
（１−６）前記（ｆ）,（ｇ）の記載によれば、周知例２には次のことが記載されている。
＜周知例２の記載事項＞
「ユーザーは、コンピュータ端末Ｔｕを利用することによって、インターネット（ＮＥＴ）１３を介して、情報源であるサーバ１２にアクセスし、
　サーバ１２には、所定の情報が予め格納され、ユーザーが、それぞれ所定の手順でサーバ１２にアクセスしてきた場合には、それぞれに適合する情報を、制御手段１１を介してそれぞれの情報端末Ｔｕに出力し、
　ユーザーは、旅行計画を所望しているので、初期メニュー欄１４の選択欄１４ａにマウスカーソルＭＣを位置させてクリックし、
　サーバ１２は、情報入力欄１を、ユーザーの情報端末Ｔｕに送信し、
　ユーザーは、出発地入力欄１の出発地入力欄１ｂに、出発地を入力し、「ＯＫ」と表示されたクリックボタン１ｃをクリックすることによって、出発地に関する情報をサーバ１２に送信すること。」
（１−７）当審で新たに引用する特開２００２−０７１３６１号公報（以下、「周知例３」という。）には、図面とともに、次の事項が記載されている。（なお、下線は当審において付加したものである。）
（ｈ）「【００５０】Ｓ7：手順Ｓ7は、
上記旅程地図情報３に表示された停留場所（登録宿屋と登録ゴルフ場）のいずれかを選択する手順である。この選択作業は、旅程地図情報３に表示された登録宿屋マーク（又は登録ゴルフ場マーク）にマウスカーソルＭＣを位置させてクリックすることによって行う
（ｉ）「【００５３】Ｓ8：この手順Ｓ8では、前記手順Ｓ7で
選択された登録宿屋である「中禅亭」に関する記憶された詳細情報を、ユーザーの端末画面Ｄに出力する。
【００５４】
登録宿屋・「中禅亭」に関する詳細情報としては、図９（ａ）に示すような構成の宿屋紹介フロントページ７がまず出力されるように構成する。
（ｊ）「【００９６】ここで、図２１の符号２０ｄは、登録する宿屋が、図９〜図１１で示したような宿屋紹介ページ７，８，９の作成を希望する場合に、クリックする矢印ボタンである。この矢印ボタンをクリックし、所定の契約手続（有料）をサーバ１２の運営者と済ませることによって、サーバ１２の宿屋ファイル１２５に宿屋紹介ページを格納することができる。なお、
宿屋紹介ページ７等は、
宿屋が所有するホームページアドレス（ＵＲＬ）から出力されるように構成してもよい。
（１−８）前記（ｈ）〜（ｊ）の記載によれば、周知例３には次のことが記載されている。
＜周知例３の記載事項＞
「旅程地図情報３に表示された停留場所（登録宿屋と登録ゴルフ場）のいずれかの選択は、旅程地図情報３に表示された登録宿屋マーク（又は登録ゴルフ場マーク）にマウスカーソルＭＣを位置させてクリックすることによって行い、
　選択された登録宿屋である「中禅亭」に関する記憶された詳細情報を、ユーザーの端末画面Ｄに出力し、
　登録宿屋・「中禅亭」に関する詳細情報としては、宿屋紹介フロントページ７がまず出力されるように構成し、
　宿屋紹介ページ７は、宿屋が所有するホームページアドレス（ＵＲＬ）から出力されるように構成してもよいこと。」
（１−９）平成２６年１月１０日付の拒絶理由通知において引用された特開２００２−２０３０１４号公報（以下、「周知例４」という。）に
（ｋ）「【００４０】したがって、ユーザ１５は、ステップ８３で、表示された旅行プラン３０の確認と修正（編集）を行う。図７に、その旅行プラン（スケジュール）３０が表示された例を示してある。
この旅行プラン３０の表示３８では、表示の左側に、出発地、複数の訪問地および到着地の移動先が、
経路順に並べて表示されたタイムテーブル３８ａが出力される。また、タイムテーブル３８ａの右側には、移動先と移動経路が重ねられた地図３８ｂも表示される。
（ｌ）【図７】には、旅行プラン３０の表示として、タイムテーブル３８ａに、１番目の「霧ヶ峰ホテル」から６番目の「霧ヶ峰ホテル」まで経路順に並べて表示され、地図３８ｂ上の所定の位置に、２番目の「自然植物園」、３番目の「霧ヶ峰沢渡スキー場」、４番目の「諏訪神社」、５番目の「蛙原観光牧場」が表示されることが、図示されている。
（１−１０）前記（ｋ）,（ｌ）の記載によれば、周知例４には次のことが記載されている。
＜周知例４の記載事項＞
　「旅行プラン３０では、表示の左側に、出発地、複数の訪問地および到着地の移動先が経路順に並べて表示されたタイムテーブル３８ａが出力され、タイムテーブル３８ａの右側には、移動先と移動経路が重ねられた地図３８ｂが表示され、タイムテーブル３８ａに、１番目の「霧ヶ峰ホテル」から６番目の「霧ヶ峰ホテル」が経路順にならべて表示され、地図３８ｂ上の所定の位置に、２番目の「自然植物園」、３番目の「霧ヶ峰沢渡スキー場」、４番目の「諏訪神社」、５番目の「蛙原観光牧場」が表示されること。」
（２）対比 
　次に、本願発明と引用発明とを対比する。
（ア）引用発明の「サーバ１０１」が含む「データベース２０２」は、本願発明の「データベース」に対応し、「サーバ１０１」が含む「データース２０２」以外の部分である、「検索条件取得部２０１」、「情報検索部２０３」、「画像データ生成部２０５」、及び、「データ送信部２０６」は、本願発明の「旅程表示サーバ」に対応している。
　また、引用発明の「旅行ルート表示システム」は、旅行ルートを表示するのであるから、旅程を表示するものであり、「データベース２０２」は、旅行ルートを表示するために検索されるのであるから、旅程を作成する際に使用されている情報を格納しているものといえる。
　よって、引用発明の「ユーザ端末１０２とネットワーク１００を介して接続された旅行ルートを表示するためのサーバ１０１を備えた旅行ルートを表示システムであって、サーバ１０１は、検索条件取得部２０１、データベース２０２、情報検索部２０３、画像データ生成部２０５、データ送信部２０６を含み構成され、」は、「旅程表示サーバと、旅程を作成する際に使用する各種の情報を格納するデータベースとを備えた旅程表示システム」である点で本願発明と共通している。
（イ）引用発明の「データベース２０２」は、「鉄道や、バス、船舶、航空機などの交通手段などが格納された交通手段情報データベース２０２ａ」、「観光施設や、テーマパーク、レストラン、宿泊施設などの各種情報が格納された施設情報データベース２０２ｂ」、及び、「地図情報が格納された地図データベース２０２ｃ」を備えていることから、交通手段、観光施設、テーマパーク、レストラン、宿泊施設、及び、地図情報を格納したものといえる。また、テーマパークは、観光スポットに対応するものといえる。
　また、引用発明のユーザ端末では、ユーザ端末の簡易表示画面１３００において、正確な地図上の位置に施設アイコンが配置されて表示されるものであり、施設として、施設情報データベース２０２ｂに格納された各種情報の一つであるテーマパークが想定されていることから、データベース２０２に格納される地図情報は、観光スポットを表示する地図に関する情報といえる。
　また、引用発明の「データベース２０２」は、取得した検索条件である「用いる交通手段、観光施設やテーマパークやレストランや宿泊施設などの利用を希望する施設名を含む検索語」に基づいて検索が行われるものであるから、交通手段、観光施設、テーマパーク、レストラン、宿泊施設の名称に関する情報を格納したものといえる。
　よって、引用発明の「データベース２０２は、鉄道や、バス、船舶、航空機などの交通手段やこれらの時刻表、料金、営業距離の各種情報などが格納された交通手段情報データベース２０２ａ、観光施設や、テーマパーク、レストラン、宿泊施設などの各種情報が格納された施設情報データベース２０２ｂ、地図情報が格納された地図データベース２０２ｃを備えており、」は、「前記データベースは、観光スポットと、飲食店、観光施設、宿泊施設及び交通手段のうちの２以上（以下、該観光スポットと併せて「旅程構成要素」という。）と、観光スポットを表示する地図と、前記旅程構成要素観光のそれぞれの名称に関する情報を格納して」いる点で、本願発明と共通している。
（ウ）引用発明の「検索条件取得部２０１」は、本願発明の「旅行計画情報受取手段」に対応するものであり、検索条件として、たとえば、出発地や目的地などの地名、駅名や、出発日時、用いる交通手段、観光施設やテーマパークやレストランや宿泊施設などの利用を希望する施設名を含む検索語を取得するものであり、出発日時、テーマパークの検索語を取得することから、旅行の日時、観光スポットなどの各種の旅行計画情報を取得しているといえる。
　また、本願発明の「旅行計画情報受取手段」は、「予約情報」をユーザ端末から受け取るものであるが、「予約情報」がどのような内容の情報であるのか特定されていないことから、「予約情報」について検討する。
　まず、本願の段落【００１１】には、「好ましい態様では、前記旅行計画情報には各種の予約情報が含まれ、前記第２の情報処理手段は、更に前記旅行計画情報受取手段から前記予約情報を受け取り、
該予約情報を
１のウェブベージの所定の場所に表示させる
所定箇所をクリックすると閲覧可能になるように処理する
ユーザは１のウェブページの上から各種申し込み及びその確認が容易にできる。
　ここで、【図３】に図示された公式サイトのＵＲＬや予約サイトのＵＲＬは、クリックすることで公式サイトや予約サイトへリンクするものであることから、段落【００１１】に記載された、「予約情報」を「所定箇所をクリックすると閲覧可能になるように処理」されたものといえる。また、段落【００１１】の「予約情報」は、１のウェブベージの所定の場所に表示される、又は、１のウェブベージの所定箇所をクリックすると閲覧可能になるものであるところ、【図３】の１のウェブページには、宿泊施設の名所として「湖山亭　うぶや」の文字が表示されており、１のウェブページの公式サイトのＵＲＬがクリックされて表示された【図８】の公式ホームページにも、「湖山亭　うぶや」の文字が閲覧可能に表示されていることから、少なくとも「湖山亭　うぶや」の文字が本願発明の「予約情報」に対応するものであるといえる。
　そうすると、宿泊施設である「湖山亭　うぶや」は、予約済みの情報を表すものではなく、ユーザが旅行前に予約することを希望する情報であるから、本願発明の「予約情報」は、ユーザが旅行前に予約することを希望する情報であって、少なくとも宿泊施設の名称を含むものであり、本願発明は、ユーザ端末から宿泊施設の名称（予約情報）を含む旅行計画情報を受け取り、第２の情報処理手段によって、１のウェブページに宿泊施設の名称（予約情報）が表示されるよう処理することで、ユーザは１のウェブページの上から旅行前に予約することを希望する宿泊施設の名称を容易に確認できるものといえる。
　そして、引用発明の「検索条件取得部２０１」は、検索条件として、宿泊施設などの利用を希望する施設名を含む検索語を取得するものであることから、引用発明の「検索条件取得部２０１」は、予約情報を取得しているものといえる。
　よって、引用発明の「検索条件取得部２０１は、ユーザ端末１０２から送信されたユーザが所望する旅行ルートの表示を行うための検索条件（たとえば、出発地や目的地などの地名、駅名や、出発日時、用いる交通手段、観光施設やテーマパークやレストランや宿泊施設などの利用を希望する施設名を含む検索語）をネットワーク１００を介して取得し、」は、「旅行の日時、観光スポット、予約情報などの各種の旅行計画情報を前記ユーザ端末から受け取る旅行計画情報受取手段」を有する点で、本願発明と共通している。
（エ）引用発明の「検索条件」、「情報検索部２０３」は、本願発明の「旅行計画情報」、「第１の情報処理手段」に対応するものである。また、検索条件に基づいてデータベース２０２の検索を行うことで、検索条件に適合する検索結果を取得することは明らかである。
　よって、引用発明の「情報検索部２０３は、検索条件取得部２０１が取得した検索条件に基づき、データベース２０２の検索を行い、」は、「前記旅行計画情報受取手段が受け取った前記旅行計画情報を前記データベースに格納された旅程構成要素に関する情報と照合して前記旅行計画情報に適合する適合旅程構成要素を取得する第１の情報処理手段」を有する点で、本願発明と共通している。
（オ）引用発明の「画像データ生成部２０５」は、検索された交通手段を表
現する交通手段アイコンを表示するため画像データ、検索された各施設を表す施設アイコンを表示するための画像データ、地図を表示するための画像データを生成するものであり、「データ送信部２０６」は、画像データ生成部２０５が生成した「複数種類の画像データ」をユーザ端末へ送信するものである。
　そして、ユーザ端末では、「複数種類の画像データ」を合成することで「複数種類の画像データ」を同一画面上に表示可能であり、また、正確な地図上の位置に利用する施設アイコンと交通アイコンをそれぞれ配置して表示可能であることから、「画像データ生成部２０５」及び「データ送信部２０６」は、検索条件取得部２０１が受け取った観光スポットを表示する地図に関する画像データによって表示された地図上の所定の場所に、検索された交通手段や各施設（本願の適合旅程構成要素に対応）を、施設アイコン又は交通アイコンとして同一画面上に配置して表示可能な「複数種類の画像データ」を生成し、送信しているものといえる。
　よって、引用発明の「画像データ生成部２０５は、データベース２０２から検索された交通手段を表現する交通手段アイコンを表示するため画像データを生成し、データベース２０２から検索された、各施設を表す施設アイコンを表示するための画像データを生成し、データベース２０２から検索された、地図を表示するための画像データを生成し、
　データ送信部２０６は、画像データ生成部２０５が生成した複数種類の画像データを、ネットワーク１００を介してユーザ端末へ送信し、複数種類の画像データは、ユーザ端末において合成することにより同一画面上に表示可能であり、簡易表示画面１３００において、正確な地図上の位置に利用する施設アイコンと交通アイコンをそれぞれ配置して表示可能なものであり、」は、「前記旅行計画情報受取手段が受け取った観光スポットを表示する地図に関する情報によって表わされた地図上の所定の場所に前記第１の情報処理手段によって取得された前記適合旅程構成要素を１の画面に配置して表示するように処理する第２の情報処理手段」を備える点で、本願発明と共通している。
（カ）引用発明のユーザ端末は、簡易表示画面１３００において、正確な地図上の位置に利用する施設アイコンと交通アイコンをそれぞれ配置して表示可能なものであり、また、簡易表示画面に示された施設アイコンのうち詳細情報を知りたいものを選択することで、各アイコンが画面の左右方向および下方向へ移動して詳細情報表示画面１１００が表示され、この詳細情報表示画面１１００には、利用する各施設名が各施設アイコンの下方向に表示されるものである。してみれば、簡易表示画面１３００から詳細情報表示画面１１００を表示した場合、各施設アイコンは、正確な地図上の位置から、画面の左右方向および下方向へ移動した地図上の位置に表示され、その下方向に各施設名が表示されるものといえる。
　また、ユーザ端末において表示のために利用する「複数種類の画像データ」は、データベースの検索結果から生成されるものであるから、サーバ１０１の「画像データ生成部２０５」及び「データ送信部２０６」は、データベースから格納された名称に関する情報を入手し、各施設名を表示するように処理しているといえる。
　よって、引用発明の「データ送信部２０６は、画像データ生成部２０５が生成した複数種類の画像データを、ネットワーク１００を介してユーザ端末へ送信し、複数種類の画像データは、ユーザ端末において合成することにより同一画面上に表示可能であり、簡易表示画面１３００において、正確な地図上の位置に利用する施設アイコンと交通アイコンをそれぞれ配置して表示可能なものであり、
　簡易表示画面に示された施設アイコンのうち詳細情報を知りたいものを選択することで、各アイコンが画面の左右方向および下方向へ移動して詳細情報表示画面１１００が表示され、この詳細情報表示画面１１００には、利用する各施設名が各施設アイコンの下方向に表示されるほか、詳細情報を希望した施設に関する詳細情報１１０１が表示されること。」は、「第２の情報処理手段」が「前記データベースから前記名称に関する情報を入手し、前記地図上であって、前記適合旅程構成要素に対応する所定の場所に表示させるように処理する」点で、本願発明と共通している。
（キ）以上の（ア）乃至（カ）から、本願発明と引用発明 は、次の点で一致している。
「旅程表示サーバと、旅程を作成する際に使用する各種の情報を格納するデータベースとを備えた旅程表示システムであって、
　前記データベースは、観光スポットと、飲食店、観光施設、宿泊施設及び交通手段のうちの２以上（以下、該観光スポットと併せて「旅程構成要素」という。）と、観光スポットを表示する地図と、前記旅程構成要素観光のそれぞれの名称に関する情報を格納しており、
　旅程表示サーバは、
　旅行の日時、観光スポット、予約情報などの各種の旅行計画情報を前記ユーザ端末から受け取る旅行計画情報受取手段と、
　前記旅行計画情報受取手段が受け取った前記旅行計画情報を前記データベースに格納された旅程構成要素に関する情報と照合して前記旅行計画情報に適合する適合旅程構成要素を取得する第１の情報処理手段と、
　前記旅行計画情報受取手段が受け取った観光スポットを表示する地図に関する情報によって表わされた地図上の所定の場所に前記第１の情報処理手段によって取得された前記適合旅程構成要素を１の画面に配置して表示するように処理する第２の情報処理手段とを有し、
　第２の情報処理手段が、更に、（ｂ）前記データベースから前記名称に関する情報を入手し、前記地図上であって、前記適合旅程構成要素に対応する所定の場所に表示させるように処理することを特徴とする旅程表示システム。」
　また、以下の点で相違している。 
［相違点１］
　本願発明は、「旅程表示サーバ」が、「ユーザ端末からインターネットを介してアクセス可能な旅程作成用のウェブページを管理する」のに対し、引用発明は、旅行ルートを作成するための検索条件を入力する「検索条件入力画面」をユーザ端末１０２に表示するものの、「検索条件入力画面」をどの装置が管理しているのか不明である点。
［相違点２］
　本願発明は、適合旅程構成要素を「旅行日程の少なくとも１日について１のウェブページ」に表示するのに対し、引用発明は、複数種類の画像データを合成して同一画面上に「簡易表示画面１３００」として表示するものの、旅行日程のどのような期間を表示するのか明確でなく、また、ウェブページとして表示しているのかどうかも明確でない点。
［相違点３］
　本願発明は、「前記地図上に表わされた前記写真又は名称をクリックすると前記写真又は名称のホームページへリンクするように処理する第３の情報処理手段」を有するのに対し、引用発明では、簡易表示画面に示された施設アイコンを選択することで、詳細情報１１０１が表示される詳細情報表示画面１１００を表示し、施設名が施設アイコンの下方向に表示されるものの、名称をクリックしたり、名称のホームページへリンクするものではない点。
［相違点４］
　本願発明は、「前記第２の情報処理手段が、更に（ａ）前記旅行計画情報受取手段から前記予約情報を受け取り、該予約情報を旅行日程の少なくとも１日について１のウェブページの所定の場所に表示する、又は所定箇所をクリックすると閲覧可能になるように処理する」のに対し、引用発明は、宿泊施設の施設名（予約情報）を取得し、簡易表示画面１３００の所定の場所に施設アイコンを表示するよう処理するものであるものの、簡易表示画面１３００の所定の場所に宿泊施設の施設名（予約情報）を表示させるものではなく、又は所定箇所をクリックすると宿泊施設の施設名（予約情報）が閲覧可能になるのかどうか明確でない点。
（３）当審の判断
（３−１）相違点１についてについて
　引用発明は、ネットワーク１００をインターネットに限定していないものの、旅行ルートの作成を支援するためのウェブサイトが周知であることを考慮すれば、ネットワーク１００としてインターネットを想定していることは明らかである。
　そして、例えば周知例２に記載されているように、ユーザ端末からインターネットを介してアクセス可能なサーバにおいて、所定の入力欄を有する画面の情報を蓄積し、ユーザ端末からのアクセスに応じて送信することは周知技術であり、また、「ウェブページ」を利用してアクセスされた情報を提供することは普通に行われていることである。
　してみれば、引用発明のサーバ１０１において、検索条件入力画面をウェブページとして管理し、ユーザ端末からインターネットを介してアクセス可能な構成にすることは、当業者であれば適宜成し得たことである。
（３−２）相違点２について
　本願発明の「旅行日程の少なくとも１日について」とは、例えば１日分の旅程を表示するものや、１〜３日目など複数日の旅程を表示するもの等、最低でも１日分の旅程を表示することを表しているものと解される。
　そして、旅程を提示する際に、１日分や複数日の旅程を提示することは普通に行われていることであるから、引用発明において、１日分や複数日の旅程といった、少なくとも１日についての旅程を表示するようにすることは、当業者であれば適宜実施し得る程度の設計事項である。
（３−３）相違点３について
　例えば周知例４に、地図３８ｂ上の所定の位置に「自然植物園」や「霧ヶ峰沢渡スキー場」等が表示されること記載されているように、地図上の施設等の位置に、その情報を名称で表示することは普通に行われていることであり、また、例えば周知例１及び周知例３に記載されているように、表示された情報の所定の位置をクリックすると、その情報のホームページにリンクするように表示画面の情報を提示することは周知技術である。
　してみれば、引用発明の「画像データ生成部２０５」及び「データ送信部２０６」がユーザ端末へ送信する「複数種類の画像データ」を生成する際、ユーザ端末において表示される簡易表示画面９００の正確な地図上の位置に、施設アイコンとして、あるいは、施設アイコンと共に施設名が表示されるように処理し、施設名をクリックすると、詳細情報１１０１を表示するためにその施設のホームページにリンクするように処理することは、当業者であれば容易に想到し得たことである。
（３−４）相違点４について
　例えば周知例４に、タイムテーブル３８ａに、１番目の「霧ヶ峰ホテル」や６番目の「霧ヶ峰ホテル」が記載されているように、旅行プランの所定の位置に宿泊を予定している宿泊施設の施設名を表示することは、普通に行われていることであり、引用発明において、取得した宿泊施設の施設名（予約情報）を簡易表示画面１３００の所定の場所に表示するよう処理すること当業者であれば容易に想到し得たことである。
　また、引用発明は、簡易表示画面に示された施設アイコンのうち詳細情報を知りたいものを選択することで、詳細情報表示画面１１００が表示され、この詳細情報表示画面１１００には、利用する各施設名が各施設アイコンの下方向に表示されるのであるから、所定の箇所として宿泊施設の施設アイコンがクリックされると、宿泊施設の施設名が閲覧可能になるよう処理することは、当業者であれば適宜実施し得る程度の設計事項である。
（３−５）そして、これらの相違点を総合的に勘案しても、本願発明の奏する作用効果は、引用発明、周知例１乃至周知例４の作用効果から予測される範囲内のものにすぎず、格別顕著なものということはできない。
（４）まとめ
　以上のとおりであるから、本願発明は、引用発明、周知例１乃至周知例４に基づいて当業者が容易に発明をすることができたものであるから、特許法第２９条第２項の規定により特許を受けることができないものである。
第６．むすび
　以上のとおり、請求項１に係る発明は、引用発明、周知例１乃至周知例４に基づいて当業者が容易に発明をすることができたものであり、特許法第２９条第２項の規定により特許を受けることができないものであるから、その余の請求項について検討するまでもなく、本願は拒絶すべきものである。
　　　
　よって、結論のとおり審決する。